(57)【要約】【課題】ホース先端の操作部を重くすることなく、スピーカーからの音声により、様々なお知らせをすることのできる、使い勝手のよい電気掃除機を提供する。【解決手段】吸引風を発する電動送風機２を内蔵する掃除機本体１と、前記掃除機本体１内に、音声を発するスピーカー８と、前記スピーカー８を収納するスピーカー室９を設け、前記スピーカー室９により前記電動送風機２と隔離した位置にスピーカー８を配置したもので、ホース先端の操作部を重くすることなく、電動送風機２の熱や、排気による微際塵の影響が少ない使用環境により、スピーカー８の寿命を伸ばすことができ、信頼性の高いスピーカー８からの音声により、様々なお知らせをすることのできる、使い勝手のよい電気掃除機を提供できる。【選択図】図２
2007236514.tif 000002
【特許請求の範囲】
【請求項１】
吸引風を発する電動送風機を内蔵する本体と、前記本体内に設けたスピーカー室と、前記スピーカー室に収納された音声を発するスピーカーとを備え、前記スピーカー室により前記電動送風機とスピーカーとを隔離して配置したことを特徴とする電気掃除機。
【請求項２】
本体内に設けた集塵室と、前記本体に開閉自在に軸支された集塵部蓋を設け、スピーカー室を前記本体の上面に配置し、前記スピーカー室を前記集塵部蓋で覆った請求項１記載の電気掃除機。
【請求項３】
スピーカー室上面には側壁に側壁開口部を有する凸状の台座形状部を備え、集塵部蓋には閉めたときに前記台座形状部と対向する位置に開口部を設けた請求項２に記載の電気掃除機。
【請求項４】
集塵部蓋の開口部面積を、台座形状部の側壁開口部面積よりも大きくした請求項３に記載の電気掃除機。
【請求項５】
スピーカーは、スピーカー本体と前記スピーカー本体を収納するスピーカーボックスからなり、前記スピーカーボックスは前記スピーカー本体の前面に設けたボックス開口部を有すると共に、前記ボックス開口部を台座形状部に位置するようにした請求項３または４に記載の電気掃除機。
【請求項６】
スピーカーボックスのボックス開口部の外周にパッキン体を配置し、前記スピーカーボックスとスピーカー室上面内壁を前記パッキン体により連結した請求項５に記載の電気掃除機。
【発明の詳細な説明】
【技術分野】
【０００１】
本発明は、音声ガイド機能を備えた、電気掃除機に関するものである。
【背景技術】
【０００２】
従来の電気掃除機について、図６を用いて説明する。従来の電気掃除機は、ホース先端の操作部１０１に発光ダイオード１０２と、スピーカー１０３を備えており、繰り返し掃除をした後、掃除機本体（図示せず）内に設けたフィルタが、吸い込んだ塵埃で目詰まりした時に、発光ダイオード１０２が点滅を繰り返して使用者に目詰まりを知らせると共に、警告音または音声による警告句を、ホース先端の操作部１０１に備えたスピーカー１０３より発し、使用者に目詰まりを知らせていた（例えば、特許文献１参照）。
【特許文献１】特公平６−１３０１８号公報
【発明の開示】
【発明が解決しようとする課題】
【０００３】
しかしながら、上記構成では、スピーカーがホース先端の操作部に備えられているため、操作部が重くなり操作しにくく、掃除を行う際に非常に疲労感を伴うといった問題があった。また、掃除機本体にスピーカーを配置した場合には、電動送風機による熱や、排気による微細塵、掃除機本体使用中の周囲のほこりや、不慮の水こぼれ等によりスピーカーの使用環境としては非常に厳しく、スピーカーの寿命も短くなるといった問題もあった。
【０００４】
本発明は上記課題を解決するもので、ホース先端の操作部を重くすることなく、電動送風機の熱や、排気による微際塵の影響が少ない使用環境とすることにより、スピーカーの寿命を伸ばし、信頼性の高いスピーカーからの音声により、様々なお知らせをすることのできる、使い勝手のよい電気掃除機を提供することを目的とする。
【課題を解決するための手段】
【０００５】
上記従来の課題を解決するために本発明は、吸引風を発する電動送風機を内蔵する本体と、前記本体内に設けたスピーカー室と、前記スピーカー室に収納された音声を発するスピーカーとを備え、前記スピーカー室により前記電動送風機とスピーカーとを隔離して配置したもので、ホース先端の操作部を重くすることなく、電動送風機の熱や、排気による微際塵の影響が少ない使用環境により、スピーカーの寿命を伸ばすことができ、信頼性の高いスピーカーからの音声により、様々なお知らせをすることのできる、使い勝手のよい電気掃除機を提供するものである。
【発明の効果】
【０００６】
上記発明によれば、ホース先端の操作部を重くすることなく、電動送風機の熱や、排気による微際塵の影響が少ない使用環境により、スピーカーの寿命を伸ばし、信頼性の高いスピーカーからの音声により、様々なお知らせをすることのできる、使い勝手のよい電気掃除機を提供できる。
【発明を実施するための最良の形態】
【０００７】
第１の発明は、吸引風を発する電動送風機を内蔵する本体と、前記本体内に設けたスピーカー室と、前記スピーカー室に収納された音声を発するスピーカーとを備え、前記スピーカー室により前記電動送風機とスピーカーとを隔離して配置したもので、ホース先端ではなく本体にスピーカーを配置したため、ホース先端の操作部を重くすることなく、さらに電動送風機とスピーカーを別室としたため、電動送風機の熱や、排気による微際塵の影響が少ない使用環境により、スピーカーの寿命を伸ばすことができ、信頼性の高いスピーカーからの音声により、様々なお知らせをすることができるため、使い勝手を向上できる。
【０００８】
第２の発明は、本体内に設けた集塵室と、前記本体に開閉自在に軸支された集塵部蓋を設け、スピーカー室を前記本体の上面に配置し、前記スピーカー室を前記集塵部蓋で覆ったもので、スピーカーがスピーカー室と集塵部蓋の２重に覆われるため、本体周囲のほこりや不慮の水こぼれ等の影響をより少なくすることができ、スピーカーの使用環境を向上できる。さらに、ほこりが舞い易い本体運転時は集塵部蓋が閉状態でありスピーカーは周囲のほこりの影響を受けづらく、本体を停止して集塵部蓋を開け、紙袋等を交換する際には、集塵部蓋が開状態のため、遮るものがなくより鮮明に音声を発することができ、使い勝手を向上できる。
【０００９】
第３の発明は、スピーカー室上面には側壁に側壁開口部を有する凸状の台座形状部を備え、集塵部蓋には閉めたときに前記台座形状部と対向する位置に開口部を設けたもので、２箇所の開口部によりスピーカーから外部に連通された音の通路が形成されるため、音声をより鮮明に発することができると共に、不慮の水こぼし等による水は、集塵部蓋の開口部より進入しても台座形状部は側壁に開口部を備えているため直接スピーカーにかかることは無く、スピーカーの使用環境を向上できる。
【００１０】
第４の発明は、集塵部蓋の開口部面積を、台座形状部の側壁開口部面積よりも大きくしたしたもので、スピーカーから台座形状部側壁の開口部を通った音声は、集塵部蓋の開口部面積が台座形状部側壁の開口部面積より広いため、集塵部蓋の開口部で絞られることなく、スムーズに外部にでるため、鮮明に音声を発することができ、使い勝手を向上できる。
【００１１】
第５の発明は、スピーカーは、スピーカー本体と前記スピーカー本体を収納するスピーカーボックスからなり、前記スピーカーボックスは前記スピーカー本体の前面に設けたボックス開口部を有すると共に、前記ボックス開口部を台座形状部に位置するようにしたもので、不慮の水こぼし等により、万が一、水が集塵部蓋の開口部から侵入した場合においても、台座形状部により、水が直接スピーカーにかかることが無くスピーカーの使用環境を向上できる。
【００１２】
第６の発明は、スピーカーボックスのボックス開口部の外周にパッキン体を配置し、前記スピーカーボックスとスピーカー室内壁を前記パッキン体により連結したもので、スピーカーボックスの開口部から出た音は、パッキン体により他に洩れる事無くスピーカー室上面の開口部に導かれるため、ロスが少なくより鮮明に音声を発することができ、使い勝手を向上できる。
【００１３】
以下、本発明の実施の形態について、図面を参照しながら説明する。なお、この実施の形態によりこの発明が限定されるものではない。
【００１４】
（実施の形態１）
本発明の第１の実施の形態について、図１〜図５を用いて説明する。
【００１５】
図１は第１の実施の形態における電気掃除機の全体斜視図、図２は同掃除機本体の側面断面図、図３は集塵部蓋が開状態での同掃除機本体の斜視図を示す。
【００１６】
図１〜図３において、掃除機本体１は、吸引風を発生させる電動送風機２と、電動送風機２の吸引風の上流側には集塵体である紙袋３を収納するための集塵室４を設けている。さらに紙袋３の上流側には、ホース５の一端が接続され、他端には延長管６を介して床用吸込み口７を接続している。
【００１７】
次にスピーカー部周辺の詳細について説明する。
【００１８】
図４に集塵部蓋が開状態において、スピーカー室蓋を取り外した際の部品展開斜視図、図５に集塵部蓋が閉状態でのＡ−Ａ断面図を示す。
【００１９】
掃除機本体１には、音声を発するスピーカー８を設け、スピーカー８は掃除機本体１上面に設けたスピーカー室９に収納されて、電動送風機２と隔離して配置され、スピーカー室蓋１０により覆われている。また、掃除機本体１は、回動軸１１により軸支され、集塵室４ならびにスピーカー室９を開閉自在に覆う集塵部蓋１２を備えている。
【００２０】
さらに、スピーカー室蓋１０は台座形状部１３を備え、台座形状部１３の側壁に８箇所の側壁開口部１４を設けている。また、集塵部蓋１２には、スピーカー８から鉛直上方向の位置に集塵部蓋開口部１５を備えており、集塵部蓋開口部１５の開口面積は側壁開口部１４の開口面積より大きく設定している。
【００２１】
また、スピーカー８は、スピーカー８上部に設けたボックス開口部１６を有したスピーカーボックス上１７と、スピーカーボックス下１８から成るスピーカーボックスにより完全に囲われており、ボックス開口部１６の周囲には全周に渡って凸部１９を形成し、上端１９ａは、台座形状部１３の台座天面２０と、スピーカー室蓋１０の天面２１の間の位置に設けられている。
【００２２】
一方、ボックス開口部１６の円周上にパッキン体２２を貼り付け、スピーカー室蓋１０との隙間を埋め、ボックス開口部１６と側壁開口部１４を連結している。
【００２３】
以上のように構成された電気掃除機について、以下その動作、作用を説明する。
【００２４】
掃除機本体１を運転すると電動送風機２が回転し、その吸引風により塵埃が床用吸い込み口７、延長管６、ホース５を通り集塵室４にある紙袋３へと捕集される。繰り返し掃除をした後、紙袋３が吸い込んだ塵埃により目詰まりした時に、運転状態から本体停止後３秒後にスピーカー８より目詰まりしている内容を音声により発声し、使用者に目詰まりを知らせる。また、目詰まり状態で何度も使用した際、電動送風機２が異常に熱くなった場合に、運転不可状態に制御を行い、スピーカー８より本体の保護装置が働いた内容を音声により発声し、使用者に知らせることができる。
【００２５】
これら、音声によるお知らせを行う際、スピーカー８はホース５では無く、掃除機本体１に設けられているため、ホース５先端の操作を重くすることなく、さらに電動送風機２とスピーカー８を別室としたため、電動送風機２の熱や、排気による微際塵の影響が少ない使用環境により、スピーカーの寿命を伸ばすことができる。従って、掃除機本体にスピーカを設けてもスピーカーの信頼性を確保することが出来、このスピーカーを用いて様々なお知らせをすることができる。
【００２６】
また、スピーカー８がスピーカー室蓋１０と集塵部蓋１２の２重に覆われるため、掃除機本体周囲のほこりや不慮の水こぼれ等の影響をより少なくすることができる。さらに、ほこりが舞い易い運転時は集塵部蓋１２が閉状態でありスピーカー８は周囲のほこりの影響を受けづらく、停止して集塵部蓋１２を開け、紙袋３等を交換する際には、集塵部蓋１２が開状態のため、スピーカー８により紙袋３の装着忘れ等を注意する内容の音声を発した場合には、遮るものがないためより鮮明に聞き取ることができる。
【００２７】
また、集塵部蓋開口部１５と側壁開口部１４により、スピーカー８からボックス開口部１６を通し外部に連通された音の通路が形成されるため、スピーカから発する音声はより鮮明となり、聞きやすいものとすることができる。
【００２８】
また、不慮に水が掃除機本体１上部よりこぼれた場合には、水が集塵部蓋開口部１５より進入しても台座形状部１３は側壁に側壁開口部１４を備えているため直接スピーカー８にかかることは無く、万が一、水が側壁開口部１４へ侵入した場合においても、ボックス開口部１６の周囲に設けた防水壁１９の上端１９ａは、スピーカー室蓋１０の天面２１より上方に位置させているため、ボックス開口部１６よりスピーカー８へ水が浸入することは無い。
【００２９】
さらに、ボックス開口部１６から出た音は、パッキン体２２により他に洩れる事無く側壁開口部１４に導かれるためロスが少なく、側壁開口部１４を通った音は、集塵部蓋開口部１５の面積が側壁開口部１４の面積より広いため、集塵部蓋開口部１５で絞られることなく、スムーズに外部にでるため、鮮明に音声を発することができる。
【産業上の利用可能性】
【００３０】
以上のように、本発明にかかる電気掃除機は、ホース先端の操作部を重くすることなく、電動送風機の熱や、排気による微際塵の影響が少ない使用環境により、スピーカーの寿命を伸ばし、信頼性の高いスピーカーからの音声により、様々なお知らせをすることのできるため、家庭、業務用等の電気掃除機に特に有用である。
【図面の簡単な説明】
【００３１】
【図１】本発明の実施の形態１を示す電気掃除機の全体斜視図
【図２】同電気掃除機の掃除機本体の側面断面図
【図３】同電気掃除機の掃除機本体の集塵部蓋開状態における部分斜視図
【図４】同電気掃除機の掃除機本体の部品展開斜視図
【図５】同電気掃除機のＡ−Ａ断面図
【図６】従来の電気掃除機のホース斜視図
【符号の説明】
【００３２】
１    掃除機本体（本体）
２    電動送風機
８    スピーカー（スピーカー本体）
９    スピーカー室
１２  集塵部蓋
１３  台座形状部
１４  側壁開口部
１５  開口部
１７  スピーカーボックス上（スピーカーボックス）
１８  スピーカーボックス下（スピーカーボックス）
２２  パッキン体
【図１】
2007236514.tif 000003
【図２】
2007236514.tif 000004
【図３】
2007236514.tif 000005
【図４】
2007236514.tif 000006
【図５】
2007236514.tif 000007
【図６】
2007236514.tif 000008